(57)【特許請求の範囲】
【請求項１】
走行作業機（２）のヒッチ部（３）に設けた係合部（３１）に、耕耘伝動ケース（１０）に設けたマスト枠（５１）のマスト支軸（５０）を係合させることにより装着する耕耘装置において、前記耕耘伝動ケース（１０）の両側面に耕耘部機枠（１Ｋ）を形成する横枠（１５）の取付ブラケット（１５ａ）を取付固定すると共に、該取付ブラケット（１５ａ）の上部に耕耘伝動ケース（１０）より上方に向けて突出延長させた取付部（１５ｃ）を形成して、この取付部（１５ｃ）に左右のマスト枠（５１），（５１）を締着固定し、該マスト枠（５１），（５１）の上部をマスト支軸（５０）で連結してなる耕耘装置のトップマスト構造。
【発明の詳細な説明】
【０００１】
【発明の属する技術分野】
本発明は、トラクタ等の走行作業機のヒッチ部に装着される耕耘装置におけるトップマスト構造に関する。
【０００２】
【従来の技術】
一般に、トラクタのヒッチ部に装着される耕耘装置は、耕耘伝動ケースに設けたマスト枠のマスト支軸を、上記ヒッチ部の上ヒッチ部に形成した係合部に、係脱可能に係合させるようにしたトップマスト構造によって着脱可能に装着するようにしている。
従来、上記のような耕耘装置のトップマスト構造は、マスト枠を取付固定するマスト枠取付部を耕耘伝動ケースの上面巾内に鋳物加工によって一体的に形成し、該マスト枠取付部の両側にマスト枠を取付固定し、その上部に前記マスト支軸を設けて、マスト枠をステー等の補強部材によって耕耘部機枠を形成する横枠に連結支持した構成にしている。
【０００３】
【発明が解決しようとする課題】
然し、上記従来のような構成による耕耘装置のトップマスト構造は、耕耘伝動ケースの上面にマスト支軸と略同巾上の巾挟なマスト枠取付部を鋳物形成しているので、耕耘装置の軽量化等を図る上で耕耘伝動ケースをアルミ鋳物にしたい場合に、その強度が弱いため取付部に充分な補強を必要として部品点数が増えると共に、耕耘伝動ケースの形状が複雑になって加工コストが増大する等の欠点がある。
また、耕耘装置にロータリカバー調節機構等作業操作部の、操作レバーやリンク部材を設置するとき、操作レバー類は巾挟なマスト枠内の空間部に設置することが困難であることから、これらはマスト枠の外に大きく露出させた状態で設置されるので、操作レバー類に泥土や雑草等が付着し易くまた清掃等の邪魔になる等の問題がある。
【０００４】
【課題を解決するための手段】
上記従来の課題を解決するために本発明による耕耘装置のトップマスト構造は、第１に、走行作業機２のヒッチ部３に設けた係合部３１に、耕耘伝動ケース１０に設けたマスト枠５１のマスト支軸５０を係合させることにより装着する耕耘装置において、前記耕耘伝動ケース１０の両側面に耕耘部機枠１Ｋを形成する横枠１５の取付ブラケット１５ａを取付固定すると共に、該取付ブラケット１５ａの上部に耕耘伝動ケース１０より上方に向けて突出延長させた取付部１５ｃを形成して、この取付部１５ｃに左右のマスト枠５１，５１をで締着固定し、該マスト枠５１，５１の上部をマスト支軸５０で連結してなることを特徴としている。
【０００７】
【発明の実施の形態】
本発明の一実施形態を図面に基づいて説明する。図面において符号１は、走行作業機の一例として示す農業用のトラクタ２の後部に着脱可能に装着される耕耘装置であり、上記トラクタ２の後輪２ａを有するミッションケース２ｂの後部で、昇降操作可能に備えた３点リンク方式のヒッチ部３に対し、本発明に係わるトップマスト構造５によって着脱可能に安定よく装着される。
また、この耕耘装置１は、トラクタ２の後部から延出したユニバーサルジョイント付の作業機伝動軸２０と係脱可能に連結する入力軸２０ａを備えた耕耘伝動ケース１０から、後述する機枠及び伝動構造を以て伝動し、耕耘軸１１に複数の耕耘爪１２を植設したロータリ部（耕耘部）１３を回転させて耕耘作業を行うことができるようにしている。
【０００８】
また、上記ヒッチ部３は、ヒッチ枠３０の上下に、上記トップマスト構造５の取付軸５０を上方から受け止め係止する凹溝状の係合部３１を形成した上ヒッチ部３２と、耕耘伝動ケース１０側を係脱可能に取付支持する下ヒッチ部３３とを一体的に枠組み構成している。
そして、ヒッチ部３は、トップリンク３５と油圧リフトアーム３６に連結した左右のロワーリンク３７等からなる、在来のものと同様な３点リンク方式の昇降機構を構成し、図示しない操縦部側からの操作によって耕耘装置１を昇降動作可能に支持している。
【０００９】
先ず、図１〜図３を参照し耕耘装置１の構成について説明すると、この耕耘装置１は、前記耕耘伝動ケース１０の左右で耕耘部フレームを形成するパイプ状の横枠１５の端部に、板状の取付ブラケット１５ａを一体的に固着形成し、該取付ブラケット１５ａの外周を耕耘伝動ケース１０の左右の側面に取付ネジ１５ｂで着脱可能に取付固定すると共に、この左右の横枠１５の他端部にロータリ伝動ケース１６とロータリ支持枠１７とを垂下状に固着することにより門型状の耕耘部機枠１Ｋを形成し、上記ロータリ伝動ケース１６とロータリ支持枠１７の下部に設けた軸支部に、耕耘軸１１をロータリ伝動ケース１６から回転駆動可能に軸支している。
尚、ロータリ伝動ケース１６は、耕耘伝動ケース１０から延設させた耕耘伝動軸１０ａを左方の横枠１５内を通して連結することにより、耕耘軸１１を回転駆動するようにしている。
【００１０】
また上記のように門型状に形成した耕耘部フレーム内には、耕耘爪１２の回転軌跡の上方に沿って円弧状に覆うロータリカバー６を、耕耘軸１１の軸心を中心に前後方向に回動可能に装着し、耕耘装置１の上下調節に伴う耕耘深さに適応し、該ロータリカバー６の後部に取付軸６０を介して回動可能に取付支持されるリヤカバー６１で、耕耘土の飛散防止並びに耕土表面の均し作業等を好適に行うことができるようにしている。
【００１１】
即ち、ロータリカバー６は、その両側の側面カバー６２の下部を、ロータリ伝動ケース１６とロータリ支持枠１７との内側下部に設置した、リング状の回動支持部６３に回動可能に枢支すると共に、ロータリカバー６の後方中央部を、後述する耕耘伝動ケース１０側に設けたロータリカバー調節機構（作業操作部）７の操作レバー７０と連結杆７１で連結するこにより、該操作レバー７０の操作によって、ロータリカバー６を前方側に回動させた図１で示す深耕位置から、後方に回動させた図２に示す浅耕位置へと位置決め調節可能に構成している。
【００１２】
次に、同図及び図４，図５を参照し、トップマスト構造５及びロータリカバー調節機構７等について説明する。
図４，図５で示すようにトップマスト構造５は、左右の重量バランスを均等とする耕耘装置巾の略中央部に設置した耕耘伝動ケース１０に対し、その両側面に取付固定して立設する左右のマスト枠５１，５１と、該マスト枠５１，５１の前側の上部で両者を連結支持するように設けた前記取付軸５０とからなる。
尚、図示例のマスト枠５１，５１は、上記取付軸５０を有する部分の後方で、ツールバー１ａを支持する支持部材１ｂを取付支持するように二股状に形成している。
【００１３】
この実施形態において上記マスト枠５１，５１は、一枚状の厚肉鉄板で左右対称形状に形成することにより、同一成形型によるプレス加工等を低コストで能率よく行うようにしており、取付ブラケット１５ａに取着する側の取付面部５２と、取付軸５０を設ける取付面部５３とを一体的に形成すると共に、取付面部５２側には前記操作レバー７０の位置決めを選定操作可能なレバーガイド７２を穿設形成することにより、マスト枠５１，５１間で形成される空間部内に設置したロータリカバー調節機構７のガイド部材を兼ねるようにしている。
【００１４】
そして、マスト枠５１，５１は図５で示すように、取付ブラケット１５ａに取着された側から前記レバーガイド７２を穿設した取付面部５２を内向きに傾斜せしめ、ここから屈曲部５５を介して取付軸５０を支持する取付面部５３を鉛直面状に形成し、左右の取付面部５３の上部に前記上ヒッチ部３２の巾よりもやや長く形成した巾決め用のカラー部材からなる取付部材５６を介挿し、両者に取付軸５０を側方から挿通したナット５７で締着固定することにより、左右の取付面部５３間に狭窄状の支持空間部を形成し、上ヒッチ部３２で支持されるこの部の枠剛性を向上させるようにしている。
【００１５】
また、上記マスト枠５１，５１を取付固定する取付ブラケット１５ａは、耕耘伝動ケース１０の広巾な両側面に対し、その外周を取付ネジ１５ｂで締着固定することにより、横枠１５を安定よく取付固定していると共に、取付ブラケット１５ａの上部に耕耘伝動ケース１０より上方に向けて突出延長させた取付部１５ｃを形成しており、この取付部１５ｃの内側にマスト枠５１，５１の取付面部５２を取付ネジ５８で締着固定するようにしている。
【００１６】
この構成により左右のマスト枠５１，５１は、従来のもののように耕耘伝動ケース１０に鋳物加工によって突設した巾狭なマスト枠取付部に直接的に取着することなく、耕耘伝動ケース１０の両側面に取付ブラケット１５ａを介して、基部側を広巾状で安定よく枠剛性を有して取付固定されるので、マスト枠５１，５１に無理な負荷がかかった場合でも耕耘伝動ケース１０に破損等をきたすことなく、またマスト枠５１，５１は広巾な耕耘伝動ケース１０の側面で基部側をふところを広くした状態で支持され、その上方の取付軸５０側に向けて収束形成しているから、ステー等の補強部材の設置を不要にしながら、少ない部品点数で簡潔で廉価な構成を以てトップマスト構造５を剛体枠にすることができるようにしている。
【００１７】
そして、上記構成において取付面部５２は取付部１５ｃと重接する部位に、前記操作レバー７０を取着するレバー取付軸７３の両端を嵌挿支持する取付穴８を穿設しており（図５）、該取付穴８内にレバー取付軸７３の両端を嵌挿した状態で回動可能に支持すると共に、左右方向の移動を側方で重接する取付部１５ｃで位置決め規制するようにしてる。
また、この構成によりレバー取付軸７３は、マスト枠５１，５１に回動可能に支持された状態において、取付ネジ５８の上方において取付部１５ｃの内向きの変形を補助的に阻止する補強部材を兼ねることができて、この部の補強を図っている。
【００１８】
次に、ロータリカバー調節機構７について説明する。このロータリカバー調節機構７は、操作レバー７０を前記マスト枠５１に形成したレバーガイド７２に挿通した状態で、その基部側をレバー取付軸７３に取付軸７５を介して側方に向けて回動可能に枢支していると共に、マスト枠５１，５１の上方に向けて収束する空間部内に設けたスプリング７６によって、操作レバー７０をレバーガイド７２側に係止付勢している。
そして、レバー取付軸７３は、その中央部にレバー杆７７を固着しており、その先端部を前記連結杆７１と連結せしめ、これらは前記マスト枠５１，５１の狭窄状の空間部内で回動可能に設置し、マスト枠５１，５１内で形成される空間部にロータリカバー調節機構７を大きく露出させることなくコンパクトに纏めた構成にしている。
【００１９】
以上のように構成したトップマスト構造５を備えた耕耘装置１は、ヒッチ部３の上ヒッチ部３２の係合部３１に取付軸５０を係合支持した状態で、下ヒッチ部３３によって下方を支持しトラクタ２に安定よく装着され、作業機伝動軸２０から入力軸２０ａを介し耕耘伝動ケース１０に入力し、該耕耘伝動ケース１０から耕耘伝動軸１０ａ及びロータリ伝動ケース１６を経て、ロータリ部１３を回転させることにより耕耘作業を行う。
【００２０】
また上記のような耕耘作業において、トラクタ２のヒッチ部３の上ヒッチ部３２に支持されるトップマスト構造５には、耕耘装置１の自重及び耕耘時に生ずる多様な方向からの負荷が加わるが、本発明によるトップマスト構造５を備えた耕耘装置１は、これらの負荷を充分に許容し耕耘伝動ケース１０等の破損を防止した耕耘作業を長期間にわたり円滑に行うことができる。
【００２１】
即ち、耕耘装置１はその耕耘伝動ケース１０の両側面に、耕耘部機枠１Ｋを形成する横枠１５の取付ブラケット１５ａを取付固定すると共に、該取付ブラケット１５ａに左右のマスト枠５１，５１を設け、該マスト枠５１，５１の上部をマスト支軸５０で連結しているので、耕耘装置１の自重及び変動負荷をマスト枠５１，５１及び取付ブラケット１５ａを介して、広巾状の耕耘伝動ケース１０の両側面で受けるので、従来のマスト枠取付部を耕耘伝動ケースと一体的に形成したもののように、耕耘伝動ケース１０等の破損を生じさせることがないから、アルミ鋳物製による耕耘伝動ケース１０の採用を可能にすることができ、耕耘装置１の軽量化を簡潔で廉価な構成を以て図ることができる。
【００２２】
そして、左右のマスト枠５１，５１は、広巾な耕耘伝動ケース１０の両側から内側に向けて収束するように傾斜させた取付面部５３を形成し、該取付面部５３の上部をマスト支軸５０で連結すると共に、マスト枠５１，５１を取付ブラケット１５ａの内側に取付固定し、ロータリカバー調節機構７の操作レバー７０を備えたレバー取付軸７３を上記マスト枠５１，５１で支持するようにしているので、耕耘装置１に設置するロータリカバー調節機構７の操作レバー７０やリンク類を、ロータリカバー６の上方でマスト枠５１の側方に大きく露出させることなく、マスト枠５１，５１の基部側で広巾に形成した空間部内にコンパクトに纏めて設置構成することができるので、操作レバー７０やリンク類への泥土や雑草等の付着を防止すると共に、清掃作業等を能率よく簡単に行うことができる等の特徴がある。
【００２３】
尚、本実施形態のトップマスト構造５では、マスト枠５１，５１内に設置する操作レバー７０を、ロータリカバー６を回動操作するロータリカバー調節機構７用のものを示したが、これに限定されることなく操作レバー７０は、例えば前記ツールバー１ａに装着される畝立機等、別作業機の作業操作部等を操作するものであってもよい。
【００２４】
【発明の効果】
本発明は以上のような耕耘装置のトップマスト構造にしたことにより、次のような効果を奏することができる。
耕耘伝動ケースの両側面に耕耘部機枠を形成する横枠の取付ブラケッを取付固定すると共に、該取付ブラケットの上部に耕耘伝動ケースより上方に向けて突出延長させた取付部を形成して、この取付部に左右のマスト枠を締着固定し、該マスト枠の上部をマスト支軸で連結したトップマスト構造にすることにより、走行作業機のヒッチ部に設けた係合部に、マスト枠のマスト支軸を係合させて耕耘装置を安定よく装着することができると共に、耕耘装置の自重や負荷等をマスト枠及び取付ブラケットを介して耕耘伝動ケースの両側面で受けるので、耕耘伝動ケース等の破損を防止した耕耘作業を長期間にわたり円滑に行うことができる。
【図面の簡単な説明】
【図１】本発明のトップマスト構造を備えた耕耘装置をトラクタに装着した状態を示す側面図。
【図２】図１の耕耘装置を上昇させた状態を示す側面図。
【図３】図１の耕耘装置の構成を示す背面図。
【図４】耕耘伝動ケースとトップマスト構造を示す側面図。
【図５】図４の背面図。
【符号の説明】
１    耕耘装置
１Ｋ  耕耘部機枠
２    トラクタ（走行作業機）
３    ヒッチ部
５    トップマスト構造
６    ロータリカバー
７    ロータリカバー調節機構（作業操作部）
８    取付穴
１０    耕耘伝動ケース
１３    ロータリ部
１５    横枠
１５ａ  取付ブラケット
３１    係合部
３２    上ヒッチ部
５０    マスト支軸（取付軸）
５１    マスト枠
５２，５３    取付面部
５５    屈曲部
７０    操作レバー
７２    レバーガイド
７３    レバー取付軸
【図１】
0003754887.tif 000002
【図２】
0003754887.tif 000003
【図３】
0003754887.tif 000004
【図４】
0003754887.tif 000005
【図５】
0003754887.tif 000006